【事件の表示】
　特願２０１３−１９７６３８「フェニルエチルアミン誘導体又はシネフリンによるカスパーゼ−１４発現誘導剤」拒絶査定不服審判事件〔平成２７年　４月　９日出願公開、特開２０１５−　６３４８０、請求項の数（１）〕について、次のとおり審決する。
【結　論】
　原査定を取り消す。
　本願の発明は、特許すべきものとする。
【理　由】
第１　手続の経緯
　本願は、平成２５年９月２５日の出願であって、平成２６年６月１３日付けで拒絶理由が通知され、同年９月１７日に意見書が提出されるとともに、同日付けで手続補正がなされたが、平成２７年３月１２日付けで拒絶査定（以下「原査定」という。）がなされ、これに対して、同年６月２３日に拒絶査定不服審判の請求がなされ、それと同時に手続補正がなされたものである。
第２　平成２７年６月２３日付けの手続補正についての補正の却下の決定
［補正の却下の決定の結論］
　平成２７年６月２３日付けの手続補正を却下する。
［理由］
１　補正の内容
　平成２７年６月２３日付けの手続補正（以下「本件補正」という。）によって、特許請求の範囲は、以下のように補正された。
（補正前）
「【請求項１】
　シネフリンを有効成分として含有するカスパーゼ−１４発現誘導剤。」
（補正後）
「【請求項１】
　シネフリンを有効成分として含有するカスパーゼ−１４発現誘導剤（保湿用途を除く）。」
　すなわち、本件補正による補正事項は、請求項１に係るシネフリンを有効成分として含有するカスパーゼ−１４発現誘導剤において、その用途として保湿用途を除外するものである。
２　補正の適否の検討
　本件補正が、本願の願書に最初に添付した明細書、特許請求の範囲又は図面（以下「当初明細書等」という。）に記載された事項の範囲内においてされたものであるか否かについて検討する。
　当初明細書等には、シネフリンを有効成分として含有するカスパーゼ−１４発現誘導剤の用途に関連する記載として、以下の記載がある（下線は当審で付加した。）。
（１）「【技術分野】
【０００１】
　本発明は、フェニルエチルアミン誘導体又はシネフリンを有効成分として含有するカスパーゼ−１４発現誘導剤、及び
カスパーゼ−１４発現誘導剤を含有する皮膚外用剤への応用に関する
【背景技術】
【０００２】
　皮膚は加齢による影響や紫外線、活性酸素等の影響により
皮膚本来の保湿性が衰え
皮膚の保湿性を高めることは治癒の方法においても非常に重要である
【０００３】
　そこで、皮膚の保湿効果を求め、従来より様々な成分が提案されている。例えば、ソルビトール誘導体（特許文献１）、グリセリン（特許文献２）、プロピレングリコールやジプロピレングリコール又は１，３−ブチレングリコール（特許文献３）、グリセリン、ソルビトール、マルチトール及びそれらの混合物（特許文献４）等が保湿剤や湿潤剤として使用されている。
・・・
【０００５】
　しかしながら、上記した保湿剤や湿潤剤は、保湿作用又は湿潤作用には優れている反面、塗布した際のべたつき感があるうえ、一時的な保湿効果又は湿潤効果を示すに過ぎず、
継続的に皮膚の保湿性を持続するような効果を生み出すものではなかった
【０００６】
　そこで、天然保湿因子といわれるＮＭＦ（natural moisturizing factor、以下、ＮＭＦという）は、皮膚の水分維持に欠かせない保湿物質である。このＮＭＦは、角化細胞中のケラトヒアリン顆粒から分泌されたプロフィラグリンが分解されてできたフィラグリンが、カスパーゼ−１４という酵素
により分解されて生じることが報告されている（非特許文献１）。このため、
カスパーゼ−１４を誘導することにより、皮膚中のＮＭＦの産生が促進し、皮膚の水分保持能が著しく向上することが考えられている。
・・・
【０００８】
　以上のことより、従来のように単に皮膚に保湿剤を塗布するのではなく、
皮膚中に存在するカスパーゼ−１４を誘導することにより、皮膚中の水分量を維持し、潤いのある皮膚に導くことが有用であると考えられる。
・・・
【発明の概要】
【発明が解決しようとする課題】
【００１０】
　従って、本発明の課題は、新規で有用なカスパーゼ−１４発現誘導剤、及び
カスパーゼ−１４発現誘導剤を含有する皮膚外用剤を提供する
【課題を解決するための手段】
【００１１】
　以上の知見より、本発明者はカスパーゼ−１４の発現を誘導する優れた天然物質をテーマとし、鋭意検討を重ねた。
【発明の効果】
【００１２】
　その結果、本発明者らはフェニルエチルアミン誘導体又はシネフリンに優れたカスパーゼ−１４を発現誘導する作用を有することを見い出し、そして、フェニルエチルアミン誘導体又はシネフリンを有効成分として含有するカスパーゼ−１４発現誘導剤、及び
カスパーゼ−１４発現誘導剤を含有する皮膚外用剤を提供する
（２）「【００１７】
　
皮膚外用剤としては、例えば、各種の外用製剤類（動物用に使用する製剤も含む）全般において利用でき
医薬品類
医薬部外品類
局所用又は全身用の皮膚用化粧品類
頭皮・頭髪に適用する薬用又は／及び化粧用の製剤類
浴湯に投じて使用する浴用剤
その他、腋臭防止剤や消臭剤、防臭剤、制汗剤、衛生用品、衛生綿類、ウエットティシュ等
（３）「【００６５】
（処方例１）乳液　　　　　　　　　　　　　　　　　 質量％
　　1.スクワラン　　　　　　　　　　　　　　　　　　 8.0
　　2.ホホバ油　　　　　　　　　　　　　　　　　　　 7.0
　　3.セチルアルコール　　　　　　　　　　　　　　　 2.0
　　4.グリセリンモノステアレート　　　　　　　　　　 2.0
　　5.ポリオキシエチレン（20）セチルエーテル　　　　 3.0
　　6.1,3-ブチレングリコール　　　　　　　　　　 　　1.0
　　7.グリセリン　　　　　　　　　　　　　　　　　 　1.0
　　8.本発明のシネフリン　　　　　　　　　　　　　　 0.1
　　9.防腐剤（パラオキシ安息香酸メチル）　　　　　　適量
　 10.精製水　　　　　　　　　　　　　　 　100とする残余
【００６６】
（処方例２）美容液　　　　　　　　　　　　　　　　 質量％
　　1.サラシミツロウ　　　　　　　　　　　　　　　　11.0
　　2.流動パラフィン　　　　　　　　　　　　　　　　22.0
　　3.ラノリン　　　　　　　　　　　　　　　　　　　10.0
　　4.オリーブ油　　　　　　　　　　　　　　　　　　 5.0
　　5.パーム油　　　　　　　　　　　　　　　　　　　 5.0
　　6.本発明のシネフリン　　　　　　　　　　　　　　 0.1
　　7.オクラ果実50％グリセリン抽出液　　　　　　　　  1.0
　　8.ビルベリー葉50％1,3-エタノール抽出液　　 　　　1.0
　　9.液状シア脂　　　　　　　　　　　　　　　　　　 1.0
　 10.グリチルリチン酸ジカリウム　　　　　　　　　　 0.1
　 11.香料（ラベンダー水）　　　　　　　　　　　　　適量
　 12.精製水　　　　　　　　　　　　　　　 100とする残余
【００６７】
（処方例３）保湿用クリーム　　　　　　　　　　　　 質量％
　　1.スクワラン　　　　　　　　　　　　　　　　　　10.0
　　2.流動パラフィン　　　　　　　　　　　　　　　　10.0
　　3.ステアリン酸　　　　　　　　　　　　　　　　　 2.0
　　3.セタノール　　　　　　　　　　　　　　　　　　 3.0
　　4.ジメチルポリシロキサン　　　　　　　　　　　　 1.0
　　5.コレステロール　　　　　　　　　　　　　　　　 0.5
　　6.ワセリン　　　　　　　　　　　　　　　　　　　 2.0
　　7.ジプロビレングリコール　　　　　　　　　　　　 3.0
　　8.モノステアリン酸グリセリン　　　　　　　　　　 2.0
　　9.シタビラメコラーゲン　　　　　　　　　　　　　 1.0
　 10.本発明のシネフリン　　　　　　　　　　　　　　 0.1
　 11.防腐剤（イソプロピルメチルフェノール）　　　　適量
　 12.精製水　　　　　　　　　　　　　　 　100とする残余
【００６８】
（処方例４）パック　　　　　　　　　　　　　　　　 質量％
　　1.ポリビニルアルコール　　　　　　　　　　　　　15.0
　　2.カルボキシメチルセルロースナトリウム　　　　　 5.0
　　3.プロピレングリコール　　　　　　　　　　　　　 3.0
　　4.エタノール　　　　　　　　　　　　　　　　　　10.0
　　5.本発明のシネフリン　　　　　　　　　　　　　 　0.1
　　6.鯛コラーゲン　　　　　　　　　　　　　　　　　 1.0
　　7.抗菌・防腐剤（ポリリジン）　　　　　　　　　　適量
　　8.香料（バラ水）　　　　　　　　　　　　　　　　適量
　　9.精製水　　　　　　　　　　　　　　　 100とする残余
【産業上の利用可能性】
【００６９】
　本発明は、フェニルエチルアミン誘導体又はシネフリンを有効成分として含有するカスパーゼ−１４発現誘導剤、更には
カスパーゼ−１４発現誘導剤を含有する皮膚外用剤
カスパーゼ−１４発現誘導作用を有することより保湿剤や湿潤剤等として提供することができる
　上記当初明細書等の記載から、シネフリンを有効成分として含有するカスパーゼ−１４発現誘導剤が、皮膚外用剤に用いられるものであり、その具体例として、各種皮膚用化粧品類を初め、ウェットティッシュ等にも使用することができるものであることが理解できる。
　しかしながら、カスパーゼ−１４発現誘導剤を用いる目的としては、皮膚の水分保持機能を向上させることしか記載されておらず、カスパーゼ−１４発現誘導剤を保湿剤や湿潤剤以外の目的で使用することが記載されているとは認められない。
　そして、カスパーゼ−１４発現誘導剤による湿潤効果は、保湿効果によりもたらされるものであると認められることから、カスパーゼ−１４発現誘導剤を湿潤剤として用いることは、保湿剤として用いることと用途が異なるものとはいえない。
　してみると、シネフリンを有効成分として含有するカスパーゼ−１４発現誘導剤を保湿用途以外の用途に用いることは、当初明細書等には記載されておらず、当初明細書等の記載から自明な事項であるとも認められない。
　よって、本件補正による補正事項は、当初明細書等のすべての記載を総合することにより導かれる技術的事項との関係において、新たな技術的事項を導入するものといわざるを得ないから、本件補正は、当初明細書等に記載された事項の範囲内においてされたものであるとは認められない。
３　むすび
　以上のとおり、本件補正は、特許法第１７条の２第３項の規定に違反するものであるから、同法第１５９条第１項の規定において読み替えて準用する同法第５３条第１項の規定により却下すべきものである。
第３　本願発明について
　本件補正は上記のとおり却下されたので、本願の請求項１に係る発明は、平成２６年９月１７日付けの手続補正により補正された特許請求の範囲の請求項１に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。